(57)【要約】【課題】  グローブボックスのグローブポートに嵌着されているグローブユニットの交換作業を容易にすることができるグローブ交換治具を実現する。【解決手段】  グローブボックス１のグローブポート３に着脱可能に係合し、グローブユニット２’を保持してガイドレバー５ｆを介してガイドレール５ｂによって移動可能に支持されて保持したグローブユニットをグローブポートに押し込んで嵌着するインナーリング押し込み部５ｈを備えたグローブ交換治具５において、ガイドレバーは、ガイドレールに摺動自在に嵌合するリニアボールブッシュ５ｉを介してガイドレールに支持し、インナーリング押し込み部は、回転可能に嵌合した押し込み部保持リング５ｋをガイドレバーに結合して支持するように構成する。【選択図】図１
2014205220.tif 000002
【特許請求の範囲】
【請求項１】
グローブボックスのグローブポートに着脱可能に係合し、グローブユニットを保持してガイドレバーを介してガイドレールによって移動可能に支持されて保持した前記グローブユニットをグローブポートに押し込んで嵌着するインナーリング押し込み部を備えたグローブ交換治具において、
前記ガイドレバーは、前記ガイドレールに摺動自在に嵌合するリニアボールブッシュを介して前記ガイドレールに支持され、
前記インナーリング押し込み部は、回転可能に嵌合した押し込み部保持リングを前記ガイドレバーに結合して支持されたことを特徴とするグローブ交換治具。
【請求項２】
請求項１において、前記リニアボールブッシュは、前記ガイドレバーにおける反押し込み方向側に伸びるように配置して設けたことを特徴とするグローブ交換治具。
【発明の詳細な説明】
【技術分野】
【０００１】
本発明は、グローブボックスにおけるグローブの交換に使用するグローブ交換治具に関する。
【背景技術】
【０００２】
グローブボックスに設置するグローブは、グローブをインナーリングに取り付けたグローブユニットとして構成されており、グローブボックスの壁に気密状態に取り付けられている筒状のグローブポートにインナーリングを押し込んで気密状態に嵌着することにより設置されている。
【０００３】
このようにグローブボックスに設置されたグローブユニットは、定期的に交換することが必要である。この交換は、グローブポートに嵌着されている交換対象の古いグローブユニットのインナーリングの軸心方向外側に新しいグローブユニットのインナーリングを押し当てて押し込むことによって古いグローブユニットをグローブポートの内側（グローブボックス内）に押し出して落下させることにより新しいグローブユニットのインナーリングをグローブポートに気密状態に嵌着するようにして行う。
【０００４】
この交換作業には、グローブ交換治具が使用される。図４は、従来のグローブ交換治具を使用してグローブボックスのグローブユニットを交換するときの作業状態を示す一部縦断側面図である。
【０００５】
グローブボックス１に対するグローブユニット２の設置は、グローブボックス１の壁（通常は透明窓）１ａに設けられた筒状のグローブポート３内にグローブユニット２のインナーリング２ａを押し込んで嵌着させることにより行っている。インナーリング２ａの外周には複数のシールリング２ｂが嵌着されており、インナーリング２ａをグローブポート３内に押し込むと、シールリング２ｂがインナーリング２ａとグローブボート３の内壁面に圧接して気密状態となる。インナーリング２ａには、グローブが取り付けられているが、図示説明は省略する。
【０００６】
このようにグローブポート３に嵌着して設置されたグローブユニット２を交換するときには、新しいグローブユニット２’を用意し、そのインナーリング２’ａの軸方向内側端縁をグローブポート３に嵌着している古いグローブユニット２のインナーリング２ａの軸心方向外側端縁に当接し、新しいグローブユニット２’をグローブポート３内に押し込むことにより、古いグローブユニット２をグローブポート３から押し出して新しいグローブユニット２’をグローブポート３に嵌着するように行う。グローブ交換治具４は、このとき、新しいグローブユニット２’を押し込むために使用する。
【０００７】
従来のグローブ交換治具４は、グローブポート３の外周にバヨネット構造によって着脱可能に係合する係合リング４ａと、この係合リング４ａからグローブポート３の外周に沿って押し込み方向の上流側に該グローブポート３の軸心と平行に伸びる複数本（例えば３本）のガイドレール４ｂと、このガイドレール４ｂの外端に結合された天板４ｃと、この天板４ｃの中心に螺合して進退する押し込みネジ軸４ｄと、この押し込みネジ軸４ｄの外端に結合されたハンドル４ｅと、前記ガイドレール４ｂを摺動するように該ガイドレール４ｂに嵌合するガイドレバー４ｆによってグローブポート３と同心的に移動可能に支持され、前記押し込みネジ軸４ｄの先端に結合部４ｇによって回転可能に係合するインナーリング押し込み部４ｈを備える。
【０００８】
このグローブ交換治具４を使用してのグローブユニット交換は、次のようにして行う。先ず、グローブ交換治具４のハンドル４ｅを回して押し込みネジ軸４ｄを後退させることによりインナーリング押し込み部４ｇを最後端（グローブポート３から最も遠ざかる位置）まで後退させ、後退したインナーリング押し込み部４ｈに新しいグローブユニット２’のインナーリング２’ａの外側端縁を係合してグローブユニット２’を保持し、グローブユニット２’を保持したグローブ交換治具４の係合リング４ａをグローブポート３に係合させてグローブ交換治具４をグローブポート３に取り付ける。その後、インナーリング押し込み部４ｈに保持している新しいグローブユニット２’の取り付け向き（グローブの向き）を調整し、ハンドル４ｅを回して押し込みネジ軸４ｄを前進させてインナーリング押し込み部４ｈを前進させながら保持したグローブユニット２’のインナーリング２’ａの内端縁を古いグローブユニット２のインナーリング２ａの外端縁に当接し、更にハンドル４ｅを回させて押し込みネジ軸４ｄを前進させ、インナーリング押し込み部４ｈを前進させることにより古いグローブユニット２をグローブポート３の内側に押し出すと共に新しいグローブユニット２’をグローブポート３内に嵌着する。
【０００９】
このようにグローブ交換作業に使用するグローブ交換治具４は、グローブ押し込み部４ｈの芯ずれを防止するためにガイドレール４ｂに対してガイドレバー４ｆがナイロンブッシュ（図示省略）を介して密接状態に嵌合していることから、グローブユニット２’から偏った反力が作用すると押し込み移動を円滑に行うことができず、また、インナーリング押し込み部４ｈはガイドレバー４ｆに拘束されて回転することができないことから該インナーリング押し込み部４ｈに保持している新しいグローブユニット２’のインナーリング２’ａを回転させてグローブの取り付け向きを調整する作業も面倒であった。
【先行技術文献】
【特許文献】
【００１０】
【特許文献１】特開２００７−２５５９４５号公報
【特許文献２】特公平６−７２９５１号公報
【発明の概要】
【発明が解決しようとする課題】
【００１１】
本発明の１つの目的は、グローブボックスのグローブポートに嵌着されているグローブユニットの交換作業を容易にすることができるグローブ交換治具を実現することにある。
【課題を解決するための手段】
【００１２】
本発明は、グローブボックスのグローブポートに着脱可能に係合し、グローブユニットを保持してガイドレバーを介してガイドレールによって移動可能に支持されて保持した前記グローブユニットをグローブポートに押し込んで嵌着するインナーリング押し込み部を備えたグローブ交換治具において、
前記ガイドレバーは、前記ガイドレールに摺動自在に嵌合するリニアボールブッシュを介して前記ガイドレールに支持し、
前記インナーリング押し込み部は、回転可能に嵌合した押し込み部保持リングを前記ガイドレバーに結合して支持する構成とする。
【００１３】
また、前記リニアボールブッシュは、前記ガイドレバーにおける反押し込み方向側に伸びるように配置して設ける。
【発明の効果】
【００１４】
本発明のグローブ交換治具は、インナーリング押し込み部を支持するガイドレバーをガイドレール上を円滑に摺動するリニアボールブッシュで進退方向に案内するようにしたので、インナーリング押し込み部を正しい姿勢で円滑に進退させることができる。
【００１５】
また、ガイドレバーをガイドレールに沿って案内するリニアボールブッシュはガイドレバーの外側面に外側（反押し込み方向）に向けて伸びるように配置されているので、新しいグローブユニットをグローブポート内に押し込むためにインナーリング押し込み部をグローブポートに近づけるように前進させても該前進の邪魔になることがない。
【００１６】
また、新しいグローブユニットの向き（グローブの向き）を調整する作業は、インナーリング押し込み部を押し込み部保持リングを介して回転可能に支持する構成としたことにより、新しいグローブユニットを保持したインナーリング押し込み部を押し込み部保持リングに対して回転させるだけの簡単な作業となる。
【００１７】
結局、グローブボックスのグローブポートに嵌着されているグローブユニットの交換作業を容易にすることができるグローブ交換治具となる。
【図面の簡単な説明】
【００１８】
【図１】本発明の実施例を示すグローブ交換治具の一部縦断側面図である。
【図２】図１に示したグローブ交換治具におけるガイドレールに対するガイドレバーの嵌合構造を拡大して示す一部縦断側面図である。
【図３】図１に示したグローブ交換治具におけるインナーリング押し込み部に対する案内レバー取り付け構造を拡大して示す側面図である。
【図４】従来のグローブ交換治具を使用してグローブボックスのグローブユニットを交換するときの作業状態を示す一部縦断側面図である。
【発明を実施するための形態】
【００１９】
本発明のグローブ交換治具は、係合リングをバヨネット構造でグローブボックスのグローブポートに着脱可能に係合し、この係合リングからグローブポートの外周に沿って押し込み方向の上流側に該グローブポートの軸心と平行に伸びる複数本のガイドレールを設け、このガイドレールの外端に結合された天板の中心に螺合して進退する押し込みネジ軸を設け、グローブユニットを保持してガイドレバーを介してガイドレールによって移動可能に支持されて保持した前記グローブユニットをグローブポートに押し込んで嵌着するインナーリング押し込み部を備えた構成とし、
前記ガイドレバーは、該ガイドレバーにおける反押し込み方向側に伸びるように配置して設けられて前記ガイドレールに摺動自在に嵌合するリニアボールブッシュを介して前記ガイドレールに支持し、
前記インナーリング押し込み部は、回転可能に嵌合した押し込み部保持リングを前記ガイドレバーに結合して支持する構成とする。
【実施例】
【００２０】
本発明のグローブ交換治具の実施例を図１〜図３を参照して説明する。この実施例における１つの特徴は、ガイドレバーをガイドレールに対して正しい姿勢で円滑に移動（摺動）することができるように嵌合させる構成であり、他の特徴は、インナーリング押し込み部にインナーリングを係合させて保持したグローブユニットの向きを容易に調整することができるように構成することにある。
【００２１】
図１はグローブ交換治具の一部縦断側面図、図２はガイドレールに対するガイドレバーの嵌合構造を拡大して示す一部縦断側面図、図３はインナーリング押し込み部に対する案内レバー取り付け構造を拡大して示す側面図である。
【００２２】
図１に示すように、この実施例におけるグローブ交換治具５は、従来のグローブ交換治具４と同様に、グローブポートの外周にバヨネット構造によって着脱可能に係合する係合
リング５ａと、この係合リング５ａからグローブポートの外周に沿って押し込み方向の上流側に該グローブポート３の軸心と平行に伸びる複数本（例えば３本）のガイドレール５ｂと、このガイドレール５ｂの外端に結合された天板５ｃと、この天板５ｃの中心に螺合して進退する押し込みネジ軸５ｄと、この押し込みネジ軸５ｄの外端に結合されたハンドル５ｅと、前記ガイドレール５ｂを摺動するように該ガイドレール５ｂに嵌合するガイドレバー５ｆによってグローブポート３と同心的に移動可能に支持され、前記押し込みネジ軸５ｄの先端に結合部５ｇによって回転可能に係合するインナーリング押し込み部５ｈを備える。
【００２３】
ガイドレール５ｂに対してガイドレバー５ｆを正しい姿勢で円滑に移動可能に嵌合させるための構成は、図２に示すように、ガイドレバー５ｆの先端部にはガイドレール５ｂの外径よりも大きい内径の貫通穴５ｆ1を設け、ガイドレール５ｂはこの貫通穴５ｆ1内を貫通させるようにする。そして、ガイドレール５ｂに摺動自在に嵌合するリニアボールブッシュ５ｉを前記ガイドレバー５ｆにおける前記貫通穴５ｆ1と同心状に該ガイドレバー５
ｆの外側面に外側（反押し込み方向）に向けて伸びるように配置して設け、このリニアボールブッシュ５ｉをブッシュカバー５ｊで包囲して前記ガイドレバー５ｆに結合し、ガイドレバー５ｆはリニアボールブッシュ５ｉを介してガイドレール５ｂを摺動するように嵌合する構成とする。
【００２４】
また、インナーリング押し込み部５ｈに保持したグローブユニットの向きを容易に調整できるようにするための構成は、図３に示すように、インナーリング押し込み部５ｈの外周に設けた鍔部５ｈ1，５ｈ2の間にインナーリング押し込み部５ｈに対して回転可能に押し込み部保持リング５ｋを嵌合し、この押し込み部保持リング５ｋにガイドレバー５ｆの内端部を結合する構成とする。
【００２５】
このように構成したグローブ交換治具５は、図４に示す従来のグローブ交換治具４によるクローブ交換作業と同様に、先ず、グローブ交換治具５のハンドル５ｅを回して押し込みネジ軸５ｄを後退させることによりインナーリング押し込み部５ｇを最後端まで後退させ、後退したインナーリング押し込み部５ｈに新しいグローブユニット２’のインナーリング２’ａの外側端縁を係合してグローブユニット２’を保持し、グローブユニット２’を保持したグローブ交換治具５の係合リング５ａをグローブポート３に係合させてグローブ交換治具５をグローブポート３に取り付ける。その後、インナーリング押し込み部５ｈを回転させて該インナーリング押し込み部５ｈに保持している新しいグローブユニット２’の取り付け向き（グローブの向き）を調整し、ハンドル５ｅを回して押し込みネジ軸５ｄを前進させてインナーリング押し込み部５ｈを前進させながら保持したグローブユニット２’のインナーリング２’ａの内端縁を古いグローブユニット２のインナーリング２ａの外端縁に当接し、更にハンドル５ｅを回させて押し込みネジ軸５ｄを前進させ、インナーリング押し込み部５ｈを前進させることにより古いグローブユニット２をグローブポート３の内側に押し出すと共に新しいグローブユニット２’をグローブポート３内に嵌着する。
【００２６】
このグローブ交換作業において、この実施例のグローブ交換治具５のリニアボールブッシュ５ｉはガイドレバー５ｆと一体になってガイドレール５ｂを円滑に摺動してガイドレバー５ｆを進退方向に案内することから、インナーリング押し込み部５ｈを正しい姿勢で円滑に進退させることができる。特に、ガイドレバー５ｆをガイドレール５ｆに沿って案内するリニアボールブッシュ５ｉはガイドレバー５ｆの外側面に外側（反押し込み方向）に向けて伸びるように配置されているので、新しいグローブユニット２’をグローブポート３内に押し込むためにインナーリング押し込み部５ｈをグローブポート３に近づけるように前進させても該前進の邪魔になることがない。
【００２７】
また、新しいグローブユニット２’の向き（グローブの向き）を調整する作業は、新しいグローブユニット２’を保持したインナーリング押し込み部５ｈを押し込み部保持リング５ｋに対して回転させるだけの簡単な作業となる。
【符号の説明】
【００２８】
１…グローブボックス  ２、２’…グローブユニット  ３…グローブポート  ５…グローブ交換治具  ５ａ…係合リング  ５ｂ…ガイドレール  ５ｃ…天板  ５ｄ…押し込みネジ軸  ５ｅ…ハンドル  ５ｆ…ガイドレバー  ５ｇ…結合部  ５ｈ…インナーリング押し込み部  ５ｉ…リニアボールブッシュ  ５ｊ…ブッシュカバー  ５ｋ…押し込み部保持リング。
【図１】
2014205220.tif 000003
【図２】
2014205220.tif 000004
【図３】
2014205220.tif 000005
【図４】
2014205220.tif 000006